【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】  以下の式の化合物であって：
【化１】
2002514625.tif 000001
ここで、各Ｑ1およびＱ2は、独立して、フェニルまたは５〜６員芳香族複素環式環系、あるいは芳香族炭化水素環、芳香族複素環式環、または芳香族炭素環式環と芳香族複素環式環の組み合わせを含む８〜１０員二環式環系から選択され、
Ｑ1を形成する環は、１〜４個の置換基で置換され、該置換基の各々は、独立して、ハロ；ＮＲ’2、ＯＲ’、ＣＯ2Ｒ’、またはＣＯＮＲ’2で必要に応じて置換されたＣ1〜Ｃ3アルキル；ＮＲ’2、ＯＲ’、ＣＯ2Ｒ’、またはＣＯＮＲ’2で必要に応じて置換されたＯ−（Ｃ1〜Ｃ3）−アルキル；ＮＲ’2；ＯＣＦ3；ＣＦ3；ＮＯ2；ＣＯ2Ｒ’；ＣＯＮＨＲ’；ＳＲ’；Ｓ（Ｏ2）Ｎ（Ｒ’）2；ＳＣＦ3；ＣＮ；Ｎ（Ｒ’）Ｃ（Ｏ）Ｒ4；Ｎ（Ｒ’）Ｃ（Ｏ）ＯＲ4；Ｎ（Ｒ’）Ｃ（Ｏ）Ｃ（Ｏ）Ｒ4；Ｎ（Ｒ’）Ｓ（Ｏ2）Ｒ4；Ｎ（Ｒ’）Ｒ4；Ｎ（Ｒ4）2；ＯＲ4；ＯＣ（Ｏ）Ｒ4；ＯＰ（Ｏ）3Ｈ2；Ｎ＝ＣＨ−Ｎ（Ｒ’）2；3，4−メチレンジオキシ；−ＮＨ−Ｃ（Ｏ）Ｏ−ＣＨ2−4−ピリジン；−ＮＨ−Ｃ（Ｏ）ＣＨ2−モルホリン；−ＮＨ−Ｃ（Ｏ）ＣＨ2−ピペラジン；または−ＮＨ−Ｃ（Ｏ）ＣＨ2−ピロリジンから選択され、
Ｑ2を形成する環は、必要に応じて４個までの置換基で置換され、該置換基の各々は、独立して、ハロ；ＮＲ’2、ＯＲ’、ＣＯ2Ｒ’、Ｓ（Ｏ2）Ｎ（Ｒ’）2、Ｎ＝ＣＨ−Ｎ（Ｒ’）2、Ｒ3もしくはＣＯＮＲ’2で必要に応じて置換されたＣ1〜Ｃ3直鎖または分枝アルキル；Ｏ−（Ｃ1〜Ｃ3）−アルキル；ＮＲ’2、ＯＲ’、ＣＯ2Ｒ’、Ｓ（Ｏ2）Ｎ（Ｒ’）2、Ｎ＝ＣＨ−Ｎ（Ｒ’）2、Ｒ3、もしくはＣＯＮＲ’2で必要に応じて置換されたＯ−（Ｃ1〜Ｃ3）−アルキル；ＮＲ’2；ＯＣＦ3；ＣＦ3；ＮＯ2；ＣＯ2Ｒ’；ＣＯＮＨＲ’；Ｒ3；ＯＲ3；ＮＨＲ3；ＳＲ3；Ｃ（Ｏ）Ｒ3；Ｃ（Ｏ）Ｎ（Ｒ’）Ｒ3；Ｃ（Ｏ）ＯＲ3；ＳＲ’；Ｓ（Ｏ2）Ｎ（Ｒ’）2；ＳＣＦ3；Ｎ＝ＣＨ−Ｎ（Ｒ’）2；ＣＮ；−ＮＨ−Ｃ（＝ＮＨ）−ＮＨ2；または−ＣＨ2−ＮＨ−Ｃ（＝ＮＨ）−ＮＨ2から選択され、
Ｑ2’は、必要に応じて１〜３個の置換基で置換された、フェニルまたは５〜６員芳香族複素環式環から選択され、該置換基の各々は、独立して、ハロゲン；ＮＲ’2、ＯＲ’、ＣＯ2Ｒ’、ＣＯＮＲ’2、またはＯ−Ｐ（Ｏ3）Ｈ2で必要に応じて置換されたＣ1〜Ｃ3アルキル；必要に応じてＮＲ’2、ＯＲ’、ＣＯ2Ｒ’、ＣＯＮＲ’2、またはＯＰ（Ｏ3）Ｈ2で置換されたＯ−（Ｃ2〜Ｃ3）−アルキル；ＯＣＦ3；ＣＦ3；ＯＲ4；Ｏ−ＣＯ2Ｒ4；Ｏ−Ｐ（Ｏ3）Ｈ2；ＣＯ2Ｒ’；ＣＯＮＨＲ’；ＳＲ’；Ｓ（Ｏ2）Ｎ（Ｒ’）2；ＳＣＦ3；ＣＮ；Ｎ（Ｒ’）Ｃ（Ｏ）Ｒ4；Ｎ（Ｒ’）Ｃ（Ｏ）ＯＲ4；Ｎ（Ｒ’）Ｃ（Ｏ）Ｃ（Ｏ）Ｒ4；Ｎ（Ｒ’）Ｓ（Ｏ2）Ｒ4；Ｎ（Ｒ’）Ｒ4；Ｎ（Ｒ4）2；ＯＲ4；ＯＣ（Ｏ）Ｒ4；ＯＰ（Ｏ）3Ｈ2；またはＮ＝ＣＨ−Ｎ（Ｒ’）2から選択され、ただしＱ2’は、ハロ、メトキシ、シアノ、ニトロ、アミノ、ヒドロキシ、メチルまたはエチルから独立して選択される１〜３個の置換基で必要に応じて置換されたフェニルではなく、
Ｒ’は、水素；（Ｃ1〜Ｃ3）−アルキル；（Ｃ2〜Ｃ3）−アルケニルまたはアルキニル；フェニル、またはハロ、メトキシ、シアノ、ニトロ、アミノ、ヒドロキシ、メチルもしくはエチルから独立して選択される１〜３個の置換基で置換されたフェニル；あるいはハロ、メトキシ、シアノ、ニトロ、アミノ、ヒドロキシ、メチルまたはエチルから独立して選択される１〜３個の置換基で必要に応じて置換された５〜６員複素環式環系から選択され、
Ｒ3は、Ｒ’、Ｒ4、−Ｃ（Ｏ）Ｒ’、−Ｃ（Ｏ）Ｒ4、−Ｃ（Ｏ）ＯＲ4もしくは−Ｊでそれぞれ必要に応じて置換された５〜８員芳香族または非芳香族の炭素環式または複素環式環系；各々がＲ’、Ｒ4、−Ｃ（Ｏ）Ｒ’、−Ｃ（Ｏ）Ｒ4、−Ｃ（Ｏ）ＯＲ4または−Ｊで必要に応じて置換された、芳香族炭素環式環、芳香族複素環式環、あるいは芳香族炭素環式環と芳香族複素環式環との組み合わせを含む８〜１０員二環式環系から選択され、
Ｒ4は、Ｎ（Ｒ’）2、ＯＲ’、ＣＯ2Ｒ’、ＣＯＮ（Ｒ’）2またはＳＯ2Ｎ（Ｒ2）2で必要に応じて置換された（Ｃ1〜Ｃ4）−直鎖または分枝アルキル；あるいはＮ（Ｒ’）2、ＯＲ’、ＣＯ2Ｒ’、ＣＯＮ（Ｒ’）2またはＳＯ2Ｎ（Ｒ2）2で必要に応じて置換された５〜６員炭素環式または複素環式環系であり、
Ｒ5は、水素；Ｒ3で必要に応じて置換された（Ｃ1〜Ｃ3）−アルキル；それぞれＲ3で必要に応じて置換された（Ｃ2〜Ｃ3）−アルケニルまたはアルキニル；フェニル、またはハロ、メトキシ、シアノ、ニトロ、アミノ、ヒドロキシ、メチルもしくはエチルから独立して選択される１〜３個の置換基で置換されたフェニル；あるいはハロ、メトキシ、シアノ、ニトロ、アミノ、ヒドロキシ、メチルまたはエチルから独立して選択される１〜３個の置換基で必要に応じて置換された５〜６員複素環式環系から選択され、
Ｗは、Ｈ；Ｎ（Ｒ2）ＳＯ2−Ｎ（Ｒ2）2；Ｎ（Ｒ2）ＳＯ2−Ｎ（Ｒ2）（Ｒ3）；Ｎ（Ｒ2）Ｃ（Ｏ）−ＯＲ2；Ｎ（Ｒ2）Ｃ（Ｏ）−Ｎ（Ｒ2）2；Ｎ（Ｒ2）Ｃ（Ｏ）−Ｎ（Ｒ2）（Ｒ3）；Ｎ（Ｒ2）Ｃ（Ｏ）−Ｒ2；Ｎ（Ｒ2）2；Ｃ（Ｏ）−Ｒ2；ＣＨ（ＯＨ）−Ｒ2；Ｃ（Ｏ）−Ｎ（Ｒ2）2；Ｃ（Ｏ）−ＯＲ2；Ｊ；またはＮ（Ｒ’）2、ＯＲ’、ＣＯ2Ｒ’、ＣＯＮ（Ｒ’）2、Ｒ3、ＳＯ2Ｎ（Ｒ2）2、ＯＣ（Ｏ）Ｒ2、ＯＣ（Ｏ）Ｒ’、ＯＣ（Ｏ）Ｎ（Ｒ2）2、−Ｎ（Ｒ4）（Ｒ5）、−Ｃ（Ｏ）Ｎ（Ｒ5）（Ｒ2）、−Ｃ（Ｏ）Ｒ5、−Ｎ（Ｒ2）Ｃ（Ｏ）Ｎ（Ｒ2）（Ｒ5）、−ＮＨＣ（Ｏ）ＯＲ5、−ＯＣ（Ｏ）Ｎ（Ｒ2）（Ｒ5）もしくは−Ｊで必要に応じて置換された（Ｃ1〜Ｃ4）直鎖または分枝アルキル；Ｎ（Ｒ’）2、ＯＲ’、ＣＯ2Ｒ’、ＣＯＮ（Ｒ’）2もしくはＳＯ2Ｎ（Ｒ2）2で必要に応じて置換された５〜６員炭素環式また複素環式環系；あるいはＮ（Ｒ’）2、ＯＲ’、ＣＯ2Ｒ’、ＣＯＮ（Ｒ’）2もしくはＳＯ2Ｎ（Ｒ2）2で必要に応じて置換された８〜１０員炭素環式または複素環式環系から選択され、ただし、ＵがＷでない限り、Ｗは、Ｒ3置換Ｃ1アルキルではなく、
Ｗ’は、Ｎ（Ｒ2）−ＳＯ2−Ｑ2；Ｎ（Ｒ2）−ＣＯ2−Ｑ2；Ｎ（Ｒ2）−Ｃ（Ｏ）−Ｑ2；Ｎ（Ｒ2）（Ｑ2）；Ｃ（Ｏ）−Ｑ2；ＣＯ2−Ｑ2；Ｃ（Ｏ）Ｎ（Ｒ2）（Ｑ2）；Ｃ（Ｒ2）2Ｑ2から選択され、
各Ｒは、独立して、水素、−Ｒ2、−Ｎ（Ｒ2）2、−ＯＲ2、ＳＲ2、−Ｃ（Ｏ）−Ｎ（Ｒ2）2、−Ｓ（Ｏ2）−Ｎ（Ｒ2）2、−Ｃ（Ｏ）−ＯＲ2または−Ｃ（Ｏ）Ｒ2から選択され、ここで２つの隣接するＲは、必要に応じて互いに結合し、そしてそれらがそれぞれ結合している各Ｙと一緒になって、４〜８員炭素環式または複素環式環を形成し、
Ｒ2は、水素、（Ｃ1〜Ｃ3）−アルキルまたは（Ｃ2〜Ｃ3）−アルケニルから選択され、これらの各々は、−Ｎ（Ｒ’）2、−ＯＲ’、ＳＲ’、−Ｃ（Ｏ）−Ｎ（Ｒ’）2、−Ｓ（Ｏ2）−Ｎ（Ｒ’）2、−Ｃ（Ｏ）−ＯＲ’、−ＮＨＳＯ2Ｒ4、−ＮＨＳＯ2Ｒ3、−Ｃ（Ｏ）Ｎ（Ｒ’）（Ｒ3）、−ＮＨＣ（Ｏ）Ｒ4、−Ｎ（Ｒ’）（Ｒ3）、−Ｎ（Ｒ’）（Ｒ4）、−Ｃ（Ｏ）Ｒ3、−Ｃ（Ｏ）Ｎ（Ｒ’）（Ｒ4）、−Ｎ（Ｒ4）2、−Ｃ（Ｏ）Ｎ＝Ｃ（ＮＨ2）2またはＲ3で必要に応じて置換され、
Ｙは、ＮまたはＣであり、ここで、ＹがＮである場合、該Ｙに結合しているＲまたはＵは、孤立電子対であり、
Ｚは、ＣＨ、Ｎ、Ｃ（ＯＣＨ3）、Ｃ（ＣＨ3）、Ｃ（ＮＨ2）、Ｃ（ＯＨ）またはＣ（Ｆ）であり、
Ｕは、ＲまたはＷから選択され、
Ｖは、−Ｃ（Ｏ）ＮＨ2、−Ｐ（Ｏ）（ＮＨ2）2、または−ＳＯ2ＮＨ2から選択され、
Ａ、ＢおよびＣは独立して、−Ｏ−、−ＣＨＲ’−、−ＣＨＲ4−、−ＮＲ’−、−ＮＲ4−または−Ｓ−から選択され、
Ｊは、Ｄ、−Ｔ−Ｃ（Ｏ）Ｒ’、または−ＯＰＯ3Ｈ2から選択される１〜３個の置換基で置換された（Ｃ1〜Ｃ4）直鎖または分枝アルキル誘導体であり、
Ｄは、以下の基：
【化２】
2002514625.tif 000002
から選択され、
Ｔは、ＯまたはＮＨのいずれかであり、そして
Ｇは、ＮＨ2またはＯＨのいずれかであり、
ここで、式（Ｉａ）または（Ｉｂ）の化合物について、Ｑ1がフェニルであり、ＶがＣ（Ｏ）ＮＨ2であり、ＺがＮであり、そしてＹ−ＲがＮ−孤立電子対である場合、Ｑ2およびＱ2’は、非置換フラニル、非置換チオフェニル、あるいは置換または非置換フェニルではなく、ただし、
式（Ｉａ）の化合物において、Ｗが水素であり、ＺがＣＨまたはＮであり、かつＶが−Ｃ（Ｏ）ＮＨ2である場合、Ｕは水素でなく；そして
式（Ｉａ）の化合物において、Ｗが水素であり；ＺがＣＨまたはＮであり；Ｖが−Ｃ（Ｏ）ＮＨ2であり；かつＵが−Ｒ2、−Ｎ（Ｒ2）2、−Ｎ（Ｒ2）2、−ＯＲ2、−ＳＲ2、−Ｃ（Ｏ）−Ｎ（Ｒ2）2、−Ｓ（Ｏ2）−Ｎ（Ｒ2）2、−Ｃ（Ｏ）−ＯＲ2または−Ｃ（Ｏ）Ｒ2である場合；これらのＲ2の各々は、水素、（Ｃ1〜Ｃ3）−アルキルもしくは（Ｃ2〜Ｃ3）−アルケニル、または、−Ｎ（Ｒ’）2、−ＯＲ’、−ＳＲ’、−Ｃ（Ｏ）−Ｎ（Ｒ’）2、−Ｓ（Ｏ2）−Ｎ（Ｒ’）2、−Ｃ（Ｏ）−ＯＲ’で置換された（Ｃ1〜Ｃ3）−アルキルもしくは（Ｃ2〜Ｃ3）−アルケニル、または、非置換の５〜６員芳香族炭素環式環系もしくは芳香族複素環式環系ではない、
化合物。
【請求項２】  請求項１に記載の化合物であって、ここで、Ｑ1は、クロロ、フルオロ、ブロモ、−ＣＨ3、−ＯＣＨ3、−ＯＨ、−ＣＦ3、−ＯＣＦ3、−Ｏ（ＣＨ2）2ＣＨ3、ＮＨ2、３，４−メチレンジオキシ、−Ｎ（ＣＨ3）2、−ＮＨ−Ｓ（Ｏ）2−フェニル、−ＮＨ−Ｃ（Ｏ）Ｏ−ＣＨ2−４−ピリジン、−ＮＨ−Ｃ（Ｏ）ＣＨ2−モルホリン、−ＮＨ−Ｃ（Ｏ）ＣＨ2−Ｎ（ＣＨ3）2、−ＮＨ−Ｃ（Ｏ）ＣＨ2−ピペラジン、−ＮＨ−Ｃ（Ｏ）ＣＨ2−ピロリジン、−ＮＨ−Ｃ（Ｏ）Ｃ（Ｏ）−モルホリン、−ＮＨ−Ｃ（Ｏ）Ｃ（Ｏ）−ピペラジン、−ＮＨ−Ｃ（Ｏ）Ｃ（Ｏ）−ピロリジン、−Ｏ−Ｃ（Ｏ）ＣＨ2−Ｎ（ＣＨ3）2、または−Ｏ−（ＣＨ2）2−Ｎ（ＣＨ3）2から独立して選択される１〜３個の置換基を含むフェニルまたはピリジルから選択され、ここで、該置換基の少なくとも１つが、オルト位にある、化合物。
【請求項３】  請求項２に記載の化合物であって、ここで、Ｑ1が少なくとも２つの置換基を含み、該置換基の両方がオルト位にある、化合物。
【請求項４】  請求項２に記載の化合物であって、ここで、Ｑ1が、以下：
【化３】
2002514625.tif 000003
2002514625.tif 000004
2002514625.tif 000005
2002514625.tif 000006
から選択される、化合物。
【請求項５】  請求項４に記載の化合物であって、ここで、Ｑ1が、２−フルオロ−６−トリフルオロメチルフェニル、２，６−ジフルオロフェニル、２，６−ジクロロフェニル、２−クロロ−４−ヒドロキシフェニル、２−クロロ−４−アミノフェニル、２，６−ジクロロ−４−アミノフェニル、２，６−ジクロロ−３−アミノフェニル、２，６−ジメチル−４−ヒドロキシフェニル、２−メトキシ−３，５−ジクロロ−４−ピリジル、２−クロロ−４，５−メチレンジオキシフェニル、または２−クロロ−４−（Ｎ−２−モルホリノ−アセトアミド）フェニルから選択される、化合物。
【請求項６】  請求項１に記載の化合物であって、ここで、Ｑ2が、フェニル、ピリジルまたはナフチルから選択され、ここで、Ｑ2は必要に応じて３個までの置換基を含み、該置換基の各々は、独立して、クロロ、フルオロ、ブロモ、メチル、エチル、イソプロピル、−ＯＣＨ3、−ＯＨ、−ＮＨ2、−ＣＦ3、−ＯＣＦ3、−ＳＣＨ3、−Ｃ（Ｏ）ＯＨ、−Ｃ（Ｏ）ＯＣＨ3、−ＣＨ2ＮＨ2、−Ｎ（ＣＨ3）2、−ＣＨ2−ピロリジン、−ＣＨ2ＯＨ、−ＣＨ2−Ｎ（ＣＨ3）2、−ＣＨ2−ピペラジン、−ＮＨ−Ｃ（＝ＮＨ）−ＮＨ2、−ＣＨ2−ＮＨ−Ｃ（＝ＮＨ）−ＮＨ2および−ＣＨ2−ＮＨ−イミダゾリンから選択される、化合物。
【請求項７】  請求項６に記載の化合物であって、ここで、Ｑ2が、以下：
【化４】
2002514625.tif 000007
2002514625.tif 000008
2002514625.tif 000009
2002514625.tif 000010
非置換２−ピリジル、または非置換フェニルから選択される、化合物。
【請求項８】  請求項７に記載の化合物であって、ここで、Ｑ2が、フェニル、２−イソプロピルフェニル、３，４−ジメチルフェニル、２−エチルフェニル、３−フルオロフェニル、２−メチルフェニル、３−クロロ−４−フルオロフェニル、３−クロロフェニル、２−カルボメトキシフェニル、２−カルボキシフェニル、２−メチル−４−クロロフェニル、２−ブロモフェニル、２−ピリジル、２−メチレンヒドロキシフェニル、４−フルオロフェニル、２−メチル−４−フルオロフェニル、２−クロロ−４−フルオロフェニル、２，４−ジフルオロフェニル、２−ヒドロキシ−４−フルオロフェニル、または２−メチレンヒドロキシ−４−フルオロフェニル、１−ナフチル、３−クロロ−２−メチレンヒドロキシフェニル、３−クロロ−２−メチルフェニル、または４−フルオロ−２−メチルフェニルから選択される、化合物。
【請求項９】  各ＹがＣである、請求項１に記載の化合物。
【請求項１０】  請求項９に記載の化合物であって、ここで、Ｙに結合している各ＲおよびＵが、独立して水素またはメチルから選択される、化合物。
【請求項１１】  請求項１に記載の化合物であって、ここで、Ｕ、ＷまたはＵおよびＷの両方が、アルコール、アミン、カルボン酸、エステル、アミドまたは複素環で終端する０〜４原子鎖である、化合物。
【請求項１２】  請求項１１に記載の化合物であって、ここで、Ｕ、Ｗ、またはＵおよびＷの両方が、以下：
【化５】
2002514625.tif 000011
2002514625.tif 000012
から選択される、化合物。
【請求項１３】  請求項１２に記載の化合物であって、ここでＵ、Ｗ、またはＵおよびＷの両方が、以下：
【化６】
2002514625.tif 000013
から選択される、化合物。
【請求項１４】  前記化合物が以下の化合物：
【化６Ａ】
2002514625.tif 000014
2002514625.tif 000015
2002514625.tif 000016
2002514625.tif 000017
2002514625.tif 000018
2002514625.tif 000019
のいずれか１つから選択される、請求項１に記載の化合物。
【請求項１５】  前記化合物が、以下：
【化７】
2002514625.tif 000020
であり、そして
Ｘが、Ｈ、
【化８】
2002514625.tif 000021
から選択される、請求項１に記載の化合物。
【請求項１６】  前記化合物が、以下：
【化９】
2002514625.tif 000022
であり、そして
Ｘが、ＮＨ2またはＮ（ＣＨ3）2から選択される、請求項１に記載の化合物。
【請求項１７】  前記化合物が、以下：
【化１０】
2002514625.tif 000023
であり、そして
Ｘが、ＯＨ、ＮＨ2、またはＮ（ＣＨ3）2から選択される、請求項１に記載の化合物。
【請求項１８】  前記化合物が、以下：
【化１１】
2002514625.tif 000024
であり、そして
Ｘが、ＯＨ、ＮＨ2、またはＮ（ＣＨ3）2から選択される、請求項１に記載の化合物。
【請求項１９】  前記化合物が、以下：
【化１２】
2002514625.tif 000025
であり、そして
Ｘが、ＯＨ、ＮＨ2、Ｎ（ＣＨ3）2、
【化１３】
2002514625.tif 000026
から選択される、請求項１に記載の化合物。
【請求項２０】  前記化合物が、以下：
【化１４】
2002514625.tif 000027
であり、
ここで、
【化１５】
2002514625.tif 000028
である、請求項１に記載の化合物。
【請求項２１】  前記化合物が、以下：
【化１６】
2002514625.tif 000029
であり、
ここで、
【化１７】
2002514625.tif 000030
である、請求項１に記載の化合物。
【請求項２２】  前記化合物が、以下：
【化２０】
2002514625.tif 000031
であり、
ここで、Ｘが、
【化２１】
2002514625.tif 000032
である、請求項１に記載の化合物。
【請求項２３】  前記化合物が、以下：
【化２２】
2002514625.tif 000033
のうちの任意の１つから選択される、請求項１に記載の化合物。
【請求項２４】  ｐ３８を阻害するのに有効な量の請求項１〜２３のいずれか１項に記載の化合物および薬学的に受容可能なキャリアを含有する、薬学的組成物。
【請求項２５】  炎症性疾患、自己免疫疾患、破壊性骨障害、増殖性障害、感染症、ウイルス疾患、神経変性疾患、アレルギー、発作における再灌流／虚血、心筋虚血、腎虚血、心臓発作、血管新生疾患、器官低酸素症、血管過形成、心臓肥大、トロンビン誘発血小板凝集、またはプロスタグランジンエンドペルオキシドシンターゼ−２に関連する状態を処置または予防するための医薬の調製のための、請求項１〜２３に記載の化合物の使用。
【請求項２６】  前記医薬が、急性膵炎、慢性膵炎、喘息、アレルギー、または成人呼吸窮迫症候群から選択される炎症性疾患を処置または予防するためのものである、請求項２５に記載の使用。
【請求項２７】  前記医薬が、糸球体腎炎、慢性関節リウマチ、全身性エリテマトーデス、強皮症、慢性甲状腺炎、グレーヴズ病、自己免疫性胃炎、糖尿病、自己免疫性溶血性貧血、自己免疫性好中球減少、血小板減少症、アトピー性皮膚炎、慢性活性肝炎、重症筋無力症、多発性硬化症、炎症性腸疾患、潰瘍性大腸炎、クーロン病、乾癬、または対宿主性移植片病から選択される自己免疫疾患を処置または予防するためのものである、請求項２５に記載の使用。
【請求項２８】  前記医薬が、変形性関節症、骨粗しょう症、または多発性骨髄腫関連骨障害から選択される破壊性骨障害を処置または予防するためのものである、請求項２５に記載の使用。
【請求項２９】  前記医薬が、急性骨髄性白血病、慢性骨髄性白血病、転移性黒色腫、カポージ肉腫、または多発性骨髄腫から選択される増殖性疾患を処置または予防するためのものである、請求項２５に記載の使用。
【請求項３０】  前記医薬が、敗血症、敗血症性ショック、または細菌性赤痢から選択される感染症を処置または予防するためのものである、請求項２５に記載の使用。
【請求項３１】  前記医薬が、急性肝炎感染、ＨＩＶ感染、またはＣＭＶ網膜炎から選択されるウイルス性疾患を処置または予防するためのものである、請求項２５に記載の使用。
【請求項３２】  前記医薬が、アルツハイマー病、パーキンソン病、脳虚血、または外傷性損傷が原因の神経変性疾患から選択される神経変性疾患を処置または予防するためのものである、請求項２５に記載の使用。
【請求項３３】  前記医薬が、発作または心筋虚血における虚血／再灌流、腎虚血、心臓発作、器官低酸素症、あるいはトロンビン誘発血小板凝集を処置または予防するためのものである、請求項２５に記載の使用。
【請求項３４】  前記医薬が、浮腫、熱、痛覚脱失症、または疼痛から選択されるプロスタグランジンエンドペルオキシドシンターゼ−２に関連する状態を処置または予防するためのものである、請求項２５に記載の使用。
【請求項３５】  前記疼痛が、神経筋疼痛、頭痛、癌疼痛、歯痛、または関節痛から選択される、請求項３４に記載の使用。
【請求項３６】  前記医薬が、固形腫瘍、眼球新血管形成、または小児血管腫から選択される血管新生障害を処置または予防するためのものである、請求項２５に記載の使用。
【手続補正２】
【補正対象書類名】明細書
【補正対象項目名】００７６
【補正方法】変更
【補正の内容】
【００７６】
【表１】
2002514625.tif 000034
【手続補正３】
【補正対象書類名】明細書
【補正対象項目名】００７７
【補正方法】変更
【補正の内容】
【００７７】
【表２】
2002514625.tif 000035
【手続補正４】
【補正対象書類名】明細書
【補正対象項目名】００８１
【補正方法】変更
【補正の内容】
【００８１】
【表６】
2002514625.tif 000036
特に好ましい実施態様には以下が挙げられる：